(57)【要約】      （修正有）【課題】使用時に直方体状の函に組み立てるときにおいて、組み立ての手順工程を減らし、熟練を要さず、誰でもがきわめて簡単迅速に組み立てることができるようにする。【解決手段】底壁又は天壁１の左右の側壁４、４′を直角になるまで立ち上げる。これにより底壁又は天壁１の上下の側壁９も立ち上がる。その後直方体状になった函内において底に近い位置にまで入り込んだ、上下の側壁９に連設した側壁重合貼着片１０の左右両側の部分１０Ａ、１０Ａを外側に向けて押し出し、各係止突片３１、３２を、底壁又は天壁１の左右の側壁４、４′に連設した側壁重合貼着片５に設けた切欠部３５に入り込ませて係止させる。【選択図】図８
0003136801.tif 000002
【実用新案登録請求の範囲】
【請求項１】
一枚の厚紙を裁断して組み立てる組立函において、底壁又は天壁を中心とし、該底壁又は天壁の左右両側に、折線を介して側壁、側壁重合貼着片を順に連設せしめる一方、前記底壁又は天壁の上下に、折線を介して側壁、側壁重合貼着片を順に連設せしめ、前記底壁又は天壁の左右の側壁の上下と前記底壁又は天壁の上下の側壁の左右との間に、折線を介して折り込み片及び貼着片を設けると共にこれら折り込み片と貼着片との間に折線を設け、更に前記底壁又は天壁の上下の側壁に連設した側壁重合貼着片に、前記折線の両端部から該側壁重合貼着片の外辺中央部に向かう折線を設けると共に、両側辺の外端部に切り欠きによって係止突片を形成する一方、前記底壁又は天壁の左右の側壁に連設した側壁重合貼着片の上下の外端部に前記係止片の夫々が係止する切欠部を設けてなり、先ず前記底壁又は天壁の左右の側壁に連設した側壁重合貼着片を夫々折線から内側に折り返して重合貼着し、次に前記底壁又は天壁の左右の側壁を夫々折線から内側に折り返して前記貼着片を底壁又は天壁の上下の側壁に重合貼着し、最後に前記底壁又は天壁の上下の側壁に連設した側壁重合貼着片を夫々折線から内側に折り返して、その中央部を前記底壁又は天壁の上下の側壁に重合貼着してなることを特徴とする組立函。
【考案の詳細な説明】
【技術分野】
【０００１】  本考案は、一枚の厚紙を裁断して組み立てる組立函に関し、更に詳細には扁平な状態において保管し、使用時において誰でもがきわめて簡単迅速に直方体状の函に組み立てることができるようになした組立函に係わる。
【背景技術】
【０００２】  従来一枚の厚紙を裁断して組み立てる組立函は種々案出されている。しかし、従来の組立函は、そのいずれもが組立ての手順工程が多かったり、多少の熟練を要するなど、誰でもが簡単迅速に組み立てられるものではなかった。
【特許文献１】実開平６−６５２１３号公報
【考案の開示】
【考案が解決しようとする課題】
【０００３】  本考案は上記の点に鑑みなされてものであって、使用時に直方体状の函に組み立てるときにおいて、従来における組立函よりも組み立ての手順工程を減らし、熟練を要さず、誰でもがきわめて簡単迅速に組み立てを行うことができるようになした組立函を提供しようとするものである。
【課題を解決するための手段】
【０００４】  而して、本考案の要旨とするところは、一枚の厚紙を裁断して組み立てる組立函において、底壁又は天壁を中心とし、該底壁又は天壁の左右両側に、折線を介して側壁、側壁重合貼着片を順に連設せしめる一方、前記底壁又は天壁の上下に、折線を介して側壁、側壁重合貼着片を順に連設せしめ、前記底壁又は天壁の左右の側壁の上下と前記底壁又は天壁の上下の側壁の左右との間に、折線を介して折り込み片及び貼着片を設けると共にこれら折り込み片と貼着片との間に折線を設け、更に前記底壁又は天壁の上下の側壁に連設した側壁重合貼着片に、前記折線の両端部から該側壁重合貼着片の外辺中央部に向かう折線を設けると共に、両側辺の外端部に切り欠きによって係止突片を形成する一方、前記底壁又は天壁の左右の側壁に連設した側壁重合貼着片の上下の外端部に前記係止片の夫々が係止する切欠部を設けてなり、先ず前記底壁又は天壁の左右の側壁に連設した側壁重合貼着片を夫々折線から内側に折り返して重合貼着し、次に前記底壁又は天壁の左右の側壁を夫々折線から内側に折り返して前記貼着片を底壁又は天壁の上下の側壁に重合貼着し、最後に前記底壁又は天壁の上下の側壁に連設した側壁重合貼着片を夫々折線から内側に折り返して、その中央部を前記底壁又は天壁の上下の側壁に重合貼着してなることを特徴とする組立函にある。【０００５】  また、本考案は同一の構成において容器本体或いは蓋にすることができるものであり、上記構成において中心にある壁部が底壁であれば容器本体と、また天壁であれば蓋となるものである。
【考案の効果】
【０００６】  本考案は、上記の如き構成であるから、扁平な状態において保管することができ、そして使用するときには、底壁又は天壁の左右の側壁を両手の指を使って同時に直角になるまで立ち上げ、その後直方体状になった函内において底に近い位置にまで入り込んだ、上下の側壁に連設した側壁重合貼着片の左右両側の部分を、手をずらして両手の親指で先ず上側の両部を同時に、次に手をずらして下側の両部を同時に外側に向けて押し出すだけで組み立てることができるものであり、熟練を要することなく、誰でもがきわめて簡単迅速に組み立てを行うことができるものである。
【考案を実施するための最良の形態】
【０００７】  本考案を実施するための最良の形態は、底壁又は天壁を中心とし、該底壁又は天壁の左右両側に、折線を介して側壁、側壁重合貼着片を順に連設せしめる一方、前記底壁又は天壁の上下に、折線を介して側壁、側壁重合貼着片を順に連設せしめ、前記底壁又は天壁の左右の側壁の上下と前記底壁又は天壁の上下の側壁の左右との間に、折線を介して折り込み片及び貼着片を設けると共にこれら折り込み片と貼着片との間に折線を設け、更に前記底壁又は天壁の上下の側壁に連設した側壁重合貼着片に、前記折線の両端部から該側壁重合貼着片の外辺中央部に向かう折線を設けると共に、両側辺の外端部に切り欠きによって係止突片を形成する一方、前記底壁又は天壁の左右の側壁に連設した側壁重合貼着片の上下の外端部に前記係止片の夫々が係止する切欠部を設けてなり、先ず前記底壁又は天壁の左右の側壁に連設した側壁重合貼着片を夫々折線から内側に折り返して重合貼着し、次に前記底壁又は天壁の左右の側壁を夫々折線から内側に折り返して前記貼着片を底壁又は天壁の上下の側壁に重合貼着し、最後に前記底壁又は天壁の上下の側壁に連設した側壁重合貼着片を夫々折線から内側に折り返して、その中央部を前記底壁又は天壁の上下の側壁に重合貼着してなることにある。
【実施例】
【０００８】  以下、本考案の実施例について説明する。
図１は本考案の実施例に係る組立函の展開図、図２乃至図６は組み立て工程の説明図、図７乃至図９は使用時における組み立て工程の説明図である。【０００９】  本考案は、一枚の厚紙を裁断して組み立てる組立函である。そして、底壁又は天壁１を中心とし、該底壁又は天壁１の左右両側に、折線２、２′、３、３′を介して側壁４、４´、側壁重合貼着片５、５´を順に連設せしめる一方、前記底壁又は天壁１の上下に、折線６、６′、７、７′を介して側壁９、９′、側壁重合貼着片１０、１０′を順に連設せしめ、前記底壁又は天壁１の左右の側壁４、４′の上下と前記底壁又は天壁１の上下の側壁９、９′の左右との間に、折線１１、１１′、１２、１２′、１３、１３′、１４、１４′を介して折り込み片１５、１５′、１６、１６′及び貼着片１７、１７′、１８、１８′を設けると共にこれら折り込み片と貼着片との間に折線１９、２０、２１、２２を設け、更に前記底壁又は天壁１の上下の側壁９、９′に連設した側壁重合貼着片１０、１０′に、前記折線７、７′の両端部から該側壁重合貼着片１０、１０′の外辺中央部に向かう折線２３、２４、２５、２６を設けると共に、両側辺の外端部に切り欠き２７、２８、２９、３０によって係止突片３１、３２、３３、３４を形成する一方、前記底壁又は天壁１の左右の側壁４、４′に連設した側壁重合貼着片５、５′の上下の外端部に前記係止片３１、３２、３３、３４の夫々が係止する切欠部３５、３６、３７、３８を設けてなり、先ず、図２および図３に示す如く、前記底壁又は天壁１の左右の側壁４、４′に連設した側壁重合貼着片５、５′を夫々折線３、３′から内側に折り返して重合貼着し、次に、図４および図５に示す如く、前記底壁又は天壁１の左右の側壁４、４′を夫々折線２、２′から内側に折り返して前記貼着片１７，１７′、１８、１８′を底壁又は天壁１の上下の側壁９、９′に重合貼着し、最後に、図６に示す如く、前記底壁又は天壁１の上下の側壁９、９′に連設した側壁重合貼着片１０、１０′を夫々折線７、７′から内側に折り返して、その中央部を前記底壁又は天壁１の上下の側壁９、９′に重合貼着してなることを特徴とするものである。尚、図においてＭは糊等の接着剤を示すものである。【００１０】  本考案は、図６に示した扁平な状態において保管するものであり、そして使用時において組み立てるときには、先ず、図７に示す如く、底壁又は天壁１の左右の側壁４、４′を両手の指を使って同時に開くようにして立ち上げる。このときには側壁４，４′が立ち上がるにつれて、これに連らなる各折り込み片１５、１５′、１６，１６′の折り込みによって底壁又は天壁１の上下の側壁９、９′及び側壁重合貼着片１０、１０′も徐々に立ち上がる。そしてまたこのときには、該側壁重合貼着片１０、１０′の左右両側部分１０Ａ、１０Ａ、１０Ａ′、１０Ａ′が、該折り込み片１５、１５′、１６、１６′の上縁によって押し上げられて折線２３、２４、２５、２６から次第に浮き上がる。そして、底壁又は天壁１の左右の側壁４、４′が直角になるまで立ち上がると、底壁又は天壁１の上下の側壁９、９′も同じように立ち上がり、図８に示す如く、その側壁重合貼着片１０、１０′の左右両側の浮き上がった���分１０Ａ、１０Ａ、１０Ａ′、１０Ａ′が各折り込み片１５、１５′、１６、１６′を乗り越える。そしてまた、乗り越えると同時に該側壁重合貼着片１０、１０′の該部分１０Ａ、１０Ａ、１０Ａ′、１０Ａ′は、その復元弾性により元の形に戻ろうとして浮き上がりが減少する。したがって、側壁重合貼着片１０、１０′の左右両側の部分１０Ａ、１０Ａ、１０Ａ′、１０Ａ′は直方体状になった函内に側壁９、９′に沿うような状態に入り込み、もって各係止突片３１、３２、３３、３４を、底壁又は天壁１の左右の側壁４、４′に連設した側壁重合貼着片５、５′に設けた切欠部３５、３６、３７、３８に接近した位置に臨ませることができる。そして、その後該側壁重合貼着片１０、１０′の左右両側の部分１０Ａ、１０Ａ、１０Ａ′、１０Ａ′を、手をずらして両手の親指で先ず上側の両部を同時に、次に手をずらして下側の両部を同時に外側に向けて押し出すと、図９に示す如く、各係止突片３１、３２、３３、３４が、底壁又は天壁１の左右の側壁４、４′に連設した側壁重合貼着片５、５′に設けた切欠部３５、３６、３７、３８に入り込んで係止され、もって組み立てが完了するものである。
【図面の簡単な説明】
【００１１】
【図１】本考案の実施例に係る組立函の展開図である。
【図２】本考案の組み立て工程の説明図である。
【図３】本考案の組み立て工程の説明図である。
【図４】本考案の組み立て工程の説明図である。
【図５】本考案の組み立て工程の説明図である。
【図６】本考案の組み立て工程の説明図である。
【図７】本考案の使用時における組み立て工程の説明図である。
【図８】本考案の使用時における組み立て工程の説明図である。
【図９】本考案の使用時における組み立て工程の説明図である。
【符号の説明】
【００１２】  １  底壁又は天壁
４、４′  側壁
５、５′  側壁重合貼着片
９、９′  側壁
１０、１０′  側壁重合貼着片
１５、１５′、１６、１６′  折り込み片
１７、１７′、１８，１８′  貼着片
２３、２４、２５、２６  折線
３１、３２、３３、３４  係止突片
３５、３６、３７、３８  切欠部
【図１】
0003136801.tif 000003
【図２】
0003136801.tif 000004
【図３】
0003136801.tif 000005
【図４】
0003136801.tif 000006
【図５】
0003136801.tif 000007
【図６】
0003136801.tif 000008
【図７】
0003136801.tif 000009
【図８】
0003136801.tif 000010
【図９】
0003136801.tif 000011